(57)【要約】【課題】部品点数を減らせ、コスト及び作業性を改善でき、デザイン性を向上させることができるようにする。【解決手段】内部に基板２１と基板ホルダー２２とで成る操作ユニット２０が収納され、基板２１に設けた各種スイッチ２３に対応する位置にそれぞれ開口部３ａが設けられた外郭部品３と、外郭部品３の内側で操作ユニット２０との間に基板２１を覆うように設置されたパネルシート１０とを備え、パネルシート１０には、外郭部品３の開口部３ａに対応する位置に、外部からの操作力を基板側のスイッチ２３に伝達するためのエンボス加工部１０ａがそれぞれ設けられ、これらエンボス加工部１０ａには、そのスイッチ２３により操作される機能を表す印刷を施す。【選択図】図２
2016186874.tif 000002
【特許請求の範囲】
【請求項１】
内部に基板と基板ホルダーとで成る操作ユニットが収納され、前記基板に設けた各種のスイッチに対応する位置にそれぞれ開口部が設けられた外郭部品と、
前記外郭部品の内側で前記操作ユニットとの間に前記基板を覆うように設置されたパネルシートとを備え、
前記パネルシートには、前記外郭部品の前記開口部に対応する位置に、外部からの操作力を基板側のスイッチに伝達するためのエンボス加工部がそれぞれ設けられ、これらエンボス加工部には、そのスイッチにより操作される機能を表す印刷が施されていることを特徴とする加熱調理器。
【請求項２】
外郭部品は、天板フレームであることを特徴とする請求項１記載の加熱調理器。
【請求項３】
前記パネルシートは、間に排水路となる隙間を有する複数層構造となっていることを特徴とする請求項１又は２記載の加熱調理器。
【請求項４】
前記パネルシートは天板フレームの内面に取り付けられていることを特徴とする請求項２又は３記載の加熱調理器。
【請求項５】
前記パネルシートと前記天板フレームとの仮止め部を設けたことを特徴とする請求項２〜４のいずれか一項に記載の加熱調理器。
【請求項６】
前記仮止め部は、
前記天板フレームに切り起こされて形成された係止片と、
前記パネルシートに設けられて前記係止片と係合できるエッジとで構成されていることを特徴とする請求項５記載の加熱調理器。
【請求項７】
前記仮止め部は、
前記天板フレームに絞りによって形成されたフレーム側突部と、
前記パネルシートに設けられて前記フレーム側突部が圧入されるパネルシート側貫通穴とで構成されていることを特徴とする請求項５記載の加熱調理器。
【請求項８】
前記仮止め部は、
前記天板フレームに形成されたフレーム側貫通穴と、
周方向の少なくとも一部の箇所に前記フレーム側貫通穴よりも大径の張出部を有し、前記パネルシートに形成されて前記フレーム側貫通穴に圧入されるパネルシート側突部とで構成されていることを特徴とする請求項５記載の加熱調理器。
【請求項９】
前記天板フレームの前記フレーム側貫通穴は、前記基板の前記スイッチに対応する位置に形成され、
前記パネルシート側突部は、内部が空洞で、該空洞に前記基板の前記スイッチの一部が挿入されているとともに、前記張出部の外形形状がポペット状に形成され、該ポペット状の頭部の壁の肉厚が、該ポペット状の首部の壁の肉厚よりも薄く設定されていることを特徴とする請求項８記載の加熱調理器。
【請求項１０】
前記天板フレームと共に前記パネルシートを挟む板金部品を設け、該板金部品を前記天板フレームに機械的に固定したことを特徴とする請求項２〜９のいずれか一項に記載の加熱調理器。
【請求項１１】
前記パネルシートは、前記天板フレームの内面に、機械的固定、又は溶着により固定されていることを特徴とする請求項４〜１０のいずれか一項に記載の加熱調理器。
【請求項１２】
前記パネルシートは弾性を有する耐熱樹脂、又はシリコンで構成されていることを特徴とする請求項１〜１１のいずれか一項に記載の加熱調理器。
【発明の詳細な説明】
【技術分野】
【０００１】
本発明は、天板フレームの手前側に、操作部を備えた加熱調理器に関する。
【背景技術】
【０００２】
この種の加熱調理器は、外郭部品である金属製の天板フレームの手前側に絞り部が設けられ、絞り部の内側（下方）に、基板と基板ホルダーとを有する操作ユニットが配置されている。また、絞り部には、基板に設けた各種スイッチに対応する位置にそれぞれ開口部が形成されている。絞り部の表側には、絞り部全面を覆うように、パネルシートが貼付られている。パネルシートには、絞り部の各開口部に対応する位置に、外部からの操作力を基板側のスイッチに伝達するためのエンボス加工部がそれぞれ設けられている。エンボス加工部には、そのスイッチにより操作される機能を表す印刷が施されている。
また、絞り部の内側、つまり天板フレームと操作ユニットとの間の各スイッチのボタンに対応する位置には、それぞれ防水シートが配置され、これら防水シートが、操作ユニットを天板フレームにねじ止めする際にこれらの間に挟み付けられるようになっている（例えば、特許文献１参照）。
【先行技術文献】
【特許文献】
【０００３】
【特許文献１】特許第５６２５３８５号公報（図３、図４）
【発明の概要】
【発明が解決しようとする課題】
【０００４】
しかしながら、天板フレームに絞り部を設け、絞り部の表側と内側に２種類のシート（パネルシートと防水シート）を配置したものにあっては、部品点数が多く、材料費及び作業費が多くかかる。
【０００５】
また、パネルシートは、基板の各種のスイッチのボタンを覆うように絞り部の表側の全面をカバーする大きさに設定されている。そのため、天板フレームの絞り部の金属の表面が、パネルシートにより隠蔽され、金属特有の色味、光沢感が出せず、天板フレームの他の部位との一体感が出せないという問題があった。
【０００６】
本発明は、前記のような課題を解決するためになされたもので、部品点数を減らせ、コスト及び作業性を改善でき、デザイン性を向上させることができる加熱調理器を得ることを目的とする。
【課題を解決するための手段】
【０００７】
本発明に係る加熱調理器は、内部に基板と基板ホルダーとで成る操作ユニットが収納され、基板に設けた各種スイッチに対応する位置にそれぞれ開口部が設けられた外郭部品と、外郭部品の内側で操作ユニットとの間に基板を覆うように設置されたパネルシートとを備え、パネルシートには、外郭部品の開口部に対応する位置に、外部からの操作力を基板側のスイッチに伝達するためのエンボス加工部がそれぞれ設けられ、これらエンボス加工部には、そのスイッチにより操作される機能を表す印刷が施されているものである。
【発明の効果】
【０００８】
本発明の加熱調理器においては、外郭部品の内側で操作ユニットとの間に基板を覆うように設置されたパネルシートを備え、パネルシートには、外郭部品の開口部に対応する位置に、外部からの操作力を基板側のスイッチに伝達するためのエンボス加工部がそれぞれ設けられ、これらエンボス加工部には、そのスイッチにより操作される機能を表す印刷が施されているので、外郭部品の表側にパネルシートを設置する必要がなくなり、部品点数を減らすことができる。このため、コスト及び作業性を改善できる。さらに、外郭部品の表側は、この外郭部品の素地のままとすることができ、外郭部品の素材を生かしたデザインを考慮できるようになり、デザイン性を向上させることができる。
【図面の簡単な説明】
【０００９】
【図１】本発明の実施の形態１に係る加熱調理器の外観の一例を示す斜視図である。
【図２】本発明の実施の形態１に係る加熱調理器の要部の分解斜視図である。
【図３】本発明の実施の形態１に係る加熱調理器の操作ユニットとパネルシートと排水路となる樋との関係を示す模式図である。
【図４】本発明の実施の形態１に係る加熱調理器の天板フレームとパネルシートと操作ユニットとの関係を示す模式図である。
【図５】本発明の実施の形態１に係る加熱調理器のパネルシートとスイッチ操作部との関係を示す平面図である。
【図６】本発明の実施の形態１に係る加熱調理器のパネルシートとスイッチ操作部との関係を示す正面図である。
【図７】本発明の実施の形態２に係る加熱調理器の天板フレームとパネルシートと操作ユニットとの関係を示す模式図である。
【図８】本発明の実施の形態２に係る加熱調理器のパネルシートとスイッチ操作部との関係を示す側面図である。
【図９】本発明の実施の形態３に係る加熱調理器の天板フレームとパネルシートとの関係を示す模式図である。
【図１０】本発明の実施の形態４に係る加熱調理器の天板フレームとパネルシートとの関係を示す模式図である。
【図１１】本発明の実施の形態４に係る加熱調理器の天板フレームとパネルシートとスイッチ操作部との関係を示す平面図である。
【図１２】本発明の実施の形態４に係る加熱調理器の天板フレームの要部を示す平面図である。
【図１３】本発明の実施の形態４に係る加熱調理器の天板フレームの要部を示す正面図である。
【図１４】本発明の実施の形態４に係る加熱調理器の天板フレームの要部を示す側面図である。
【図１５】本発明の実施の形態５に係る加熱調理器の天板フレームとパネルシートとの関係を示す模式図である。
【図１６】本発明の実施の形態５に係る加熱調理器の天板フレームとパネルシートとスイッチ操作部との関係を示す平面図である。
【図１７】本発明の実施の形態５に係る加熱調理器の天板フレームの要部を示す平面図である。
【図１８】本発明の実施の形態５に係る加熱調理器の天板フレームの要部を示す正面図である。
【図１９】本発明の実施の形態５に係る加熱調理器の天板フレームの要部を示す側面図である。
【図２０】本発明の実施の形態６に係る加熱調理器の天板フレームとパネルシートとスイッチとの関係を示す模式図である。
【図２１】本発明の実施の形態６に係る加熱調理器のパネルシートとスイッチとの関係を示す正面図である。
【図２２】本発明の実施の形態６に係る加熱調理器のパネルシートの壁厚を説明するための模式図である。
【図２３】本発明の実施の形態６に係る加熱調理器のパネルシートの張出部の第１の例を示す模式図である。
【図２４】本発明の実施の形態６に係る加熱調理器のパネルシートの張出部の第２の例を示す模式図である。
【図２５】本発明の実施の形態６に係る加熱調理器のパネルシートの張出部の第３の例を示す模式図である。
【図２６】本発明の実施の形態７に係る加熱調理器の天板フレームとパネルシートと板金部品との関係を示す模式図である。
【発明を実施するための形態】
【００１０】
以下、本発明に係る加熱調理器を、誘導加熱による調理鍋載置部を左右手前に二口と中央奥側に一口設けた、ビルトイン型（組込み型）の加熱調理器（ＩＨクッキングヒーター）に適用した場合を例に説明する。なお、以下に示す図面の形態によって本発明が限定されるものではない。また、各図において、同一の構成には同一の符号を付している。
【００１１】
実施の形態１．
図１は本発明の実施の形態１に係る加熱調理器の外観の一例を示す斜視図である。
図１に示すように、加熱調理器１は、上面が開口した箱状の本体２と、本体２の上面に載置された金属製の天板フレーム３とによって、外郭が形成されている。天板フレーム３において、中央には、本体２の上面の開口を覆うガラス製のトッププレート４、手前側（矢印Ｙ１方向）には、各種の操作入力を行う操作部５、奥側（矢印Ｙ２方向）には、吸排気口を覆う吸排気口カバー６が設置されている。そして、天板フレーム３において、手前側と奥側との間のトッププレート４には、鍋などの被加熱物が載置される載置部７が、例えば３口設けられている。また、本体２には、例えばグリル部８も設けられている。
【００１２】
図２は本発明の実施の形態１に係る加熱調理器の要部の分解斜視図である。
本体２内の天板フレーム３の操作部５の下方には、図２に示すように、基板２１と基板ホルダー２２とで成る操作ユニット２０が収納されている。基板２１には、各種のスイッチ２３が実装されている。また、本体２内の天板フレーム３と操作ユニット２０との間には、基板２１を覆うようにパネルシート１０が設置されている。パネルシート１０は、耐熱樹脂、又はシリコンで構成されている。
【００１３】
図３は本発明の実施の形態１に係る加熱調理器の操作ユニットとパネルシートと排水路となる樋との関係を示す模式図である。
図３に示すように、操作ユニット２０の基板ホルダー２２におけるパネルシート１０の周縁部には、排水路となる樋２４が設けられている。樋２４は、操作部５内に浸入し、パネルシート１０を伝い落ちてきた水を受け止めて排出するものであり、基板２１の回路への水の浸入による故障を防止している。
【００１４】
図４は本発明の実施の形態１に係る加熱調理器の天板フレームとパネルシートと操作ユニットとの関係を示す模式図である。図５は本発明の実施の形態１に係る加熱調理器のパネルシートとスイッチ操作部との関係を示す平面図である。図６は本発明の実施の形態１に係る加熱調理器のパネルシートとスイッチ操作部との関係を示す正面図である。
図４に示すように、天板フレーム３における基板２１の各種のスイッチ２３に対応する位置に、それぞれ開口部３ａが設けられている。
また、図４〜図６に示すように、パネルシート１０には、天板フレーム３の開口部３ａに対応する位置に、外部からの操作力を基板２１側のスイッチ２３に伝達するためのエンボス加工部１０ａがそれぞれ設けられ、これらエンボス加工部１０ａには、そのスイッチ２３により操作される機能を表す印刷が施されている。
【００１５】
このように、本実施の形態１の加熱調理器は、内部に基板２１と基板ホルダー２２とで成る操作ユニット２０が収納され、基板２１に設けた各種のスイッチ２３に対応する位置にそれぞれ開口部３ａが設けられた外郭部品（天板フレーム３）と、外郭部品の内側で操作ユニット２０との間に基板２１を覆うように設置されたパネルシート１０とを備え、パネルシート１０には、外郭部品の開口部３ａに対応する位置に、外部からの操作力を基板２１側のスイッチ２３に伝達するためのスイッチ操作部となるエンボス加工部１０ａがそれぞれ設けられ、これらエンボス加工部１０ａには、そのスイッチ２３により操作される機能を表す印刷が施されている。このため、外郭部品の表側にパネルシート１０を設置する必要がなくなり、部品点数を減らすことができ、コスト及び作業性を改善することができる。さらに、外郭部品の表側は、この外郭部品の素地のままとすることができ、外郭部品の素材を生かしたデザインを考慮できるようになり、デザイン性を向上させることができる。
【００１６】
また、外郭部品は、金属製の天板フレーム３であるため、色味、光沢感を出すことができる。そして、天板フレーム３の他の部位（操作部５以外の部位）との一体感を出すことができる。なお、天板フレーム３は、必ずしも金属製とする必要はなく、例えば樹脂製の天板フレームとしても良いものである。
【００１７】
また、パネルシート１０は、耐熱樹脂、又はシリコンで構成しているので、パネルシート１０の熱による変形を抑制でき、信頼性が向上する。
【００１８】
実施の形態２．
図７は本発明の実施の形態２に係る加熱調理器の天板フレームとパネルシートと操作ユニットとの関係を示す模式図である。図８は本発明の実施の形態２に係る加熱調理器のパネルシートとスイッチ操作部との関係を示す側面図である。なお、各図中、前述の実施の形態１と同一機能部分には同一符号を付してある。また、説明にあたっては、前述の図２及び図３を参照するものとする。
図７及び図８に示すように、本実施の形態２の加熱調理器は、パネルシート３０が、間に排水路となる隙間３１を有する複数層構造となっている。また、パネルシート３０の下層シート部３２には、周縁部における樋２４の直上位置となる部位に、排水穴３３が形成されているものである。
【００１９】
本実施の形態２の加熱調理器においては、パネルシート３０を、間に排水路となる隙間３１を有する複数層構造としたので、１層目の上層シート部３４が破けて水が浸入しても２層目の下層シート部３２にて止水でき基板２１の破損を回避することができる。
【００２０】
また、パネルシート３０の下層シート部３２には、周縁部における樋２４の直上位置となる部位に、排水穴３３を形成したので、排水性が良くなり、例え２層目の下層シート部３２に水が浸入することがあっても排水が容易となり、水の滞留を防ぐことができる。
【００２１】
実施の形態３．
図９は本発明の実施の形態３に係る加熱調理器の天板フレームとパネルシートとの関係を示す模式図であり、図中、前述の実施の形態１と同一機能部分には同一符号を付してある。また、説明にあたっては、前述の図２及び図３を参照するものとする。
図９に示すように、本実施の形態３の加熱調理器は、パネルシート１０を天板フレーム３の内面に取り付けたものである。
【００２２】
ここでは、パネルシート１０を溶かす接着剤４０を用いて、パネルシート１０を天板フレーム３の内面に溶着により固定している。なお、パネルシート１０の天板フレーム３への内面への取付は、溶着以外に、例えばねじを用いた機械的固定でも良いものである。
【００２３】
本実施の形態３の加熱調理器においては、パネルシート１０を天板フレーム３の内面に取り付けたので、パネルシート１０の取付部を天板フレーム３と面一とするための絞り部が不要となる。
【００２４】
さらに、パネルシート１０のエンボス加工部１０ａと天板フレーム３の開口部３ａとの位置合わせを表側から目視により行うことができるので、作業性が向上する。
【００２５】
また、パネルシート１０を天板フレーム３の内面に機械的固定、又は溶着により固定しているので、固定の信頼性を確保できる。
【００２６】
実施の形態４．
図１０は本発明の実施の形態４に係る加熱調理器の天板フレームとパネルシートとの関係を示す模式図である。図１１は本発明の実施の形態４に係る加熱調理器の天板フレームとパネルシートとスイッチ操作部との関係を示す平面図である。図１２は本発明の実施の形態４に係る加熱調理器の天板フレームの要部を示す平面図である。図１３は本発明の実施の形態４に係る加熱調理器の天板フレームの要部を示す正面図である。図１４は本発明の実施の形態４に係る加熱調理器の天板フレームの要部を示す側面図である。なお、各図中、前述の実施の形態１と同一機能部分には同一符号を付してある。また、説明にあたっては、前述の図２及び図３を参照するものとする。
図１０〜図１４に示すように、本実施の形態４の加熱調理器は、パネルシート１０と天板フレーム３との仮止め部５０を設けたものである。
【００２７】
仮止め部５０は、天板フレーム３に切り起こされて形成された係止片３ｂと、パネルシートに設けられて係止片３ｂと係合できるエッジとで構成される。ここで、係止片３ｂと係合できるエッジとは、切り起こされた係止片３ｂが挿通できるようにパネルシート１０に形成された穴１０ｂのエッジのことである。切り起こされた係止片３ｂは、図１０に示されているように、パネルシート１０の穴１０ｂに挿通された後、貫通端をさらにパネルシート１０の内側の面に沿う方向にＬ字状に折り曲げられ、パネルシート１０の穴１０ｂのエッジと係合するようになっている。
【００２８】
なお、係止片３ｂと係合できるエッジとしては、必ずしも穴１０ｂのエッジとする必要はない。例えば、係止片３ｂ，３ｂの間隔、あるいはパネルシート１０の長さを調整して、係止片３ｂ，３ｂとパネルシート１０の端縁部とが係合できるようにしても良いものである。
【００２９】
本実施の形態４の加熱調理器においては、パネルシート１０と天板フレーム３との仮止め部５０を設けたので、パネルシート１０と天板フレーム３との位置決めが容易となり、作業性が向上する。
【００３０】
また、仮止め部５０は、天板フレーム３に切り起こされて形成された係止片３ｂと、パネルシートに設けられて係止片３ｂと係合できるエッジとで構成したので、仮止めを確実に行うことができて、信頼性を得ることができる。
【００３１】
実施の形態５．
図１５は本発明の実施の形態５に係る加熱調理器の天板フレームとパネルシートとの関係を示す模式図である。図１６は本発明の実施の形態５に係る加熱調理器の天板フレームとパネルシートとスイッチ操作部との関係を示す平面図である。図１７は本発明の実施の形態５に係る加熱調理器の天板フレームの要部を示す平面図である。図１８は本発明の実施の形態５に係る加熱調理器の天板フレームの要部を示す正面図である。図１９は本発明の実施の形態５に係る加熱調理器の天板フレームの要部を示す側面図である。なお、各図中、前述の実施の形態１と同一機能部分には同一符号を付してある。また、説明にあたっては、前述の図２及び図３を参照するものとする。
図１５〜図１９に示すように、本実施の形態５の加熱調理器は、パネルシート１０と天板フレーム３との圧入方式による仮止め部６０を設けたものである。
【００３２】
仮止め部６０は、天板フレーム３に絞りによって形成されたフレーム側突部３ｃと、パネルシート１０に設けられてフレーム側突部３ｃが圧入されるパネルシート側貫通穴１０ｃとで構成されている。
【００３３】
本実施の形態５の加熱調理器においては、パネルシート１０と天板フレーム３との仮止め部６０を、フレーム側突部３ｃと、パネルシート１０に設けられてフレーム側突部３ｃが圧入されるパネルシート側貫通穴１０ｃとで構成しているので、パネルシート１０と天板フレーム３との仮止め部６０を、ワンタッチで取り付け、取り外しすることができ、作業性が向上する。
【００３４】
実施の形態６．
図２０は本発明の実施の形態６に係る加熱調理器の天板フレームとパネルシートとスイッチとの関係を示す模式図である。図２１は本発明の実施の形態６に係る加熱調理器のパネルシートとスイッチとの関係を示す正面図である。図２２は本発明の実施の形態６に係る加熱調理器のパネルシートの壁厚を説明するための模式図である。なお、各図中、前述の実施の形態１と同一機能部分には同一符号を付してある。また、説明にあたっては、前述の図２及び図３を参照するものとする。
図２０〜図２２に示すように、本実施の形態６の加熱調理器は、パネルシート７０と天板フレーム３との圧入方式による仮止め部８０を設けたものである。
【００３５】
仮止め部８０は、天板フレーム３に形成されたフレーム側貫通穴３ｄと、周方向の少なくとも一部の箇所にフレーム側貫通穴３ｄよりも大径の張出部７０ｂを有し、パネルシート７０に形成されてフレーム側貫通穴３ｄに圧入されるパネルシート側突部７０ａとで構成されている。
【００３６】
これを更に詳述すると、天板フレーム３のフレーム側貫通穴３ｄは、基板２１のスイッチ２３に対応する位置に形成されている。また、パネルシート側突部７０ａは、図２２に示すように、内部が空洞で、この空洞に基板２１のスイッチ２３の一部が挿入されているとともに、張出部７０ｂの外形形状がポペット状に形成され、ポペット状の頭部７０ｃの壁の肉厚Ａが、ポペット状の首部７０ｄの壁の肉厚Ｂよりも薄く設定されている。
【００３７】
本実施の形態６の加熱調理器においては、仮止め部８０を、天板フレーム３に形成されたフレーム側貫通穴３ｄと、周方向の少なくとも一部の箇所にフレーム側貫通穴３ｄよりも大径の張出部７０ｂを有し、パネルシート７０に形成されてフレーム側貫通穴３ｄに圧入されるパネルシート側突部７０ａとで構成しているので、パネルシート７０が外れ難くなり、仮止めを確実に行うことができて、信頼性を得ることができる。また、水の浸入経路が、張出部７０ｂでラビリンス経路となり、水が浸入し難くなる。
【００３８】
また、天板フレーム３のフレーム側貫通穴３ｄは、基板２１のスイッチ２３に対応する位置に形成し、パネルシート側突部７０ａは、内部が空洞で、この空洞に基板２１のスイッチ２３の一部を挿入しているとともに、張出部７０ｂの外形形状をポペット状とし、ポペット状の頭部７０ｃの壁の肉厚Ａを、ポペット状の首部７０ｄの壁の肉厚Ｂよりも薄くしているので、スイッチ２３の操作感を改善することができる。
【００３９】
換言すれば、ポペット状の首部７０ｄの壁の肉厚Ｂを、ポペット状の頭部７０ｃの壁の肉厚Ａよりも厚くしているので、フレーム側貫通穴３ｄにバリが発生していても、擦れによるシート破れを軽減することができる。
【００４０】
加えて、仮止め部８０に、外部からの操作力を基板側のスイッチに伝達するためのエンボス加工部の機能を兼用させているので、構成の簡略化が図れる。
【００４１】
図２３は本発明の実施の形態６に係る加熱調理器のパネルシートの張出部の第１の例を示す模式図である。図２４は本発明の実施の形態６に係る加熱調理器のパネルシートの張出部の第２の例を示す模式図である。図２５は本発明の実施の形態６に係る加熱調理器のパネルシートの張出部の第３の例を示す模式図である。なお、各図中、前述の実施の形態１と同一機能部分には同一符号を付してある。また、説明にあたっては、前述の図２及び図３を参照するものとする。
パネルシート側突部７０ａの張出部は、図２３に示すように、周方向の３箇所に等間隔に設けた張出部７０ｅとしても良く、また図２４に示すように、周方向の４箇所に等間隔に設けた張出部７０ｆとしても良く、さらには図２５に示すように、全周に設けた張出部７０ｇとしても良いものである。張出部の数が多いほど、または張出部７０ｅのように全周に設けることで、水の浸入経路が、より複雑となり、水が浸入し難くなる。
【００４２】
実施の形態７．
図２６は本発明の実施の形態７に係る加熱調理器の天板フレームとパネルシートと板金部品との関係を示す模式図であり、図中、前述の実施の形態１と同一機能部分には同一符号を付してある。また、説明にあたっては、前述の図２及び図３を参照するものとする。
図２６に示すように、本実施の形態７の加熱調理器は、天板フレーム３と共にパネルシート１０を挟む板金部品９０を設け、板金部品９０を天板フレーム３に機械的に固定したものである。
【００４３】
本実施の形態７の加熱調理器においては、天板フレーム３と共にパネルシート１０を挟む板金部品９０を設け、板金部品９０を天板フレーム３に機械的に固定したので、パネルシート１０を取り外すことができ、パネルシート１０のメンテナンスが容易となり、かつ止水性が向上する。
【符号の説明】
【００４４】
１  加熱調理器、２  本体、３  天板フレーム（外郭部品）、３ａ  開口部、３ｂ  係止片、３ｃ  フレーム側突部、３ｄ  フレーム側貫通穴、４  トッププレート、５  操作部、６  吸排気口カバー、７  載置部、８  グリル部、１０，３０，７０  パネルシート、１０ａ  エンボス加工部、１０ｂ  穴、１０ｃ  パネルシート側貫通穴、２０  操作ユニット、２１  基板、２２  基板ホルダー、２３  スイッチ、２４  樋、３１  隙間、３２  下層シート部、３３  排水穴、４０  接着剤、５０，６０，８０  仮止め部、７０ａ  パネルシート側突部、７０ｂ，７０ｅ，７０ｆ，７０ｇ  張出部、７０ｃ  頭部、７０ｄ  首部、９０  板金部品。
【図１】
2016186874.tif 000003
【図２】
2016186874.tif 000004
【図３】
2016186874.tif 000005
【図４】
2016186874.tif 000006
【図５】
2016186874.tif 000007
【図６】
2016186874.tif 000008
【図７】
2016186874.tif 000009
【図８】
2016186874.tif 000010
【図９】
2016186874.tif 000011
【図１０】
2016186874.tif 000012
【図１１】
2016186874.tif 000013
【図１２】
2016186874.tif 000014
【図１３】
2016186874.tif 000015
【図１４】
2016186874.tif 000016
【図１５】
2016186874.tif 000017
【図１６】
2016186874.tif 000018
【図１７】
2016186874.tif 000019
【図１８】
2016186874.tif 000020
【図１９】
2016186874.tif 000021
【図２０】
2016186874.tif 000022
【図２１】
2016186874.tif 000023
【図２２】
2016186874.tif 000024
【図２３】
2016186874.tif 000025
【図２４】
2016186874.tif 000026
【図２５】
2016186874.tif 000027
【図２６】
2016186874.tif 000028